(57)【要約】      （修正有）【課題】プロテクターを用いることなく衝突時の衝撃に耐えられる電気掃除機を提供する。【解決手段】上ケースと下ケースの組み合わせによって構成された本体ケースを備え、本体ケースは、前部にホースが着脱自在に接続されるホース接続部４と、ホース接続部４の両側からそれぞれ突出して後方に延びる緩衝部５ａ、５ｂと、各緩衝部５ａ、５ｂからそれぞれ内側に折り曲げられた緩衝背面部６ａ、６ｂとを有し、緩衝部５ａ、５ｂおよび緩衝背面部６ａ、６ｂの上ケースは、下ケースより外方に突出している。【選択図】図２
2011245218.tif 000002
【特許請求の範囲】
【請求項１】
上ケースと下ケースの組み合わせによって構成された本体ケースを備え、
前記本体ケースは、前部にホースが着脱自在に接続されるホース接続部と、該ホース接続部の両側からそれぞれ突出して後方に延びる緩衝部と、各緩衝部からそれぞれ内側に折り曲げられた緩衝背面部とを有し、
前記緩衝部および前記緩衝背面部の上ケースは、下ケースより外方に突出していることを特徴とする電気掃除機。
【発明の詳細な説明】
【技術分野】
【０００１】
本発明は、例えばサイクロン式の集塵器を備えた電気掃除機に係わり、さらに詳しくは衝突時の衝撃を吸収する電気掃除機に関するものである。
【背景技術】
【０００２】
従来の電気掃除機として、本体カバー下と本体カバー上を跨ぐように、前部および側部にプロテクターが設けられたものがある。そのプロテクターは、掃除機本体の走行時に本体カバーが家具や壁などに衝突しても、その衝撃を吸収する部材からなっている（例えば、特許文献１参照）。
【先行技術文献】
【特許文献】
【０００３】
【特許文献１】特開２００６−６１５４２号公報（第９頁、図２）
【発明の概要】
【発明が解決しようとする課題】
【０００４】
前述した従来の電気掃除機においては、本体カバーが家具や壁などに衝突した場合、その衝撃はプロテクターによって吸収されるものの、その衝撃は本体カバー下と本体カバー上にも伝わる。衝突時の衝撃力が大きい場合には、本体カバー下と本体カバー上が略平らなため、その衝撃に耐えられる強度が確保できないことがある。
【０００５】
本発明は、前述のような課題を解決するためになされたものであり、プロテクターを用いることなく衝突時の衝撃に耐えられる電気掃除機を提供することを目的とする。
【課題を解決するための手段】
【０００６】
本発明に係る電気掃除機は、上ケースと下ケースの組み合わせによって構成された本体ケースを備え、本体ケースは、前部にホースが着脱自在に接続されるホース接続部と、ホース接続部の両側からそれぞれ突出して後方に延びる緩衝部と、各緩衝部からそれぞれ内側に折り曲げられた緩衝背面部とを有し、緩衝部および緩衝背面部の上ケースは、下ケースより外方に突出している。
【発明の効果】
【０００７】
本発明においては、本体ケースのホース接続部の両側からそれぞれ突出して後方に延びる緩衝部と各緩衝部から内側に折り曲げられた緩衝背面部とを備えている。これにより、電気掃除機の使用中に緩衝部が壁や家具などに衝突したとしても、その衝撃は緩衝部の下ケースと緩衝背面部の下ケースとにより分散され、このため、衝撃に対する強度を確保することができ、衝撃による変形を防止できる。
【図面の簡単な説明】
【０００８】
【図１】実施の形態に係る電気掃除機を示す側面図である。
【図２】図１の電気掃除機を上方から見て示す平面図である。
【図３】図１の電気掃除機の前部を拡大して示す側面図である。
【図４】図３に示す矢印Ａ−Ａに沿って見た緩衝部の拡大断面図である。
【発明を実施するための形態】
【０００９】
図１は実施の形態に係る電気掃除機を示す側面図、図２は図１の電気掃除機を上方から見て示す平面図である。
図１、図２において、電気掃除機の本体ケース１は、上ケース２と下ケース３の組み合わせによって構成され、その内部に電動送風機、回路基板、電源コードのコードリールなどが収納されている。また、本体ケース１は、前部にホース接続部４を有し、さらに、ホース接続部４の両側からそれぞれ突出して後方に延びる緩衝部５ａ、５ｂおよび各緩衝部５ａ、５ｂからそれぞれ内側に折り曲げられた緩衝背面部６ａ、６ｂを有している。これらは、前述したように上ケース２と下ケース３の組み合わせにより構成されている。
【００１０】
ホース接続部４の前部には、可撓性を有するホースが着脱自在に接続される接続口７が設けられている。また、ホース接続部４には、両側から上方に延びて形成された門型状の取っ手８が設けられている。上ケース２の上部は、ホース接続部４側を前部として後方に向かうに連れ上方に傾斜している。その傾斜した上部には、後述する集塵器２１がホース接続部４側を前部として着脱自在に装着されている。集塵器２１は、集塵器２１の後部に設けられた操作レバー３１が引き上げられたときに、上ケース２から外れるようになっている。
【００１１】
上ケース２の一方の側板には円筒状の吸気管９が取り付けられている。その吸気管９は、流入口１０側が緩衝背面部６ａから挿入されてホース接続部４の接続口７と連結され、流出口１１が集塵器２１の側板から突出する吸引口２２に着脱自在に接合されている。上ケース２のもう一方の側板には、断面形状がお椀状に形成された排気部１２が取り付けられている。その排気部１２は、一端が緩衝背面部６ｂに当接しており、電動送風機の駆動により集塵器２１を通って吸引された空気（冷却風）を外部に排気する複数の排気孔１３を有している。
【００１２】
上ケース２の後部には、電源プラグの引き出しが可能な開口を有するプラグ収納部１４が設けられている。また、上ケース２の後部には、上方に延びる空気吸引部１５が設けられている。その空気吸引部１５は、上方から見て電動送風機の収納室と繋がる略四辺形状の孔を有している。
【００１３】
集塵器２１の後部には、後方に突出して下方に延びる空気排出部２３が設けられている。その空気排出部２３は、上ケース２の後部に設けられた空気吸引部１５と着脱自在に接合されている。また、集塵器２１は、内部にサイクロン集塵室を備えている。そのサイクロン集塵室は、吸引口２２から流入する空気と塵埃を旋回させ、その遠心力で大きい塵と細かい塵を分離して大きい塵を集塵室に集塵する第１旋回室、第１旋回室で分離された細かい塵を空気と共に旋回させ、その遠心力で空気から細かい塵を分離して集塵室に集塵する第２旋回室などを有している。集塵器２１内への空気および塵埃の吸引と分離は電動送風機の駆動によるものである。第２旋回室で分離された空気は、電動送風機の駆動により空気排出部２３および空気吸引部１５を通って電動送風機の収納室内に吸引され、本体ケース１内の冷却風として使用される。
【００１４】
ここで、前述した緩衝部５ａ、５ｂおよび緩衝背面部６ａ、６ｂについて図３、図４を用いて説明する。
図３は図１の電気掃除機の前部を拡大して示す側面図、図４は図３に示す矢印Ａ−Ａに沿って見た緩衝部の拡大断面図である。
図３、図４において、緩衝部５ａ、５ｂおよび緩衝背面部６ａ、６ｂは、前述したように上ケース２と下ケース３の組み合わせによりホース接続部４の両側に構成されている。上ケース２と下ケース３の組み合わせは、図４に示すように、上ケース２に設けられた溝部２ａに下ケース３に設けられた凸部３ａを嵌合させると共に、所定間隔で配置された係合部４１によって行われる。
【００１５】
緩衝部５ａ、５ｂおよび緩衝背面部６ａ、６ｂを構成する部分の上ケース２は、その部分の下ケース３の板厚より厚く、外方に突出している。緩衝背面部６ａ、６ｂのうち緩衝背面部６ａには、吸気管９の流入口１０側の管が挿入される孔が設けられている。
【００１６】
電気掃除機の使用中に本体ケース１の緩衝部５ａ、５ｂが壁や家具などに衝突した場合、緩衝部５ａ、５ｂの上ケース２が接触する。その衝撃は、緩衝部５ａ、５ｂから内側に折り曲げられた緩衝背面部６ａ、６ｂの上ケース２にも伝わり、緩衝部５ａ、５ｂの下ケース３と緩衝部５ａ、５ｂから内側に折り曲げられた緩衝背面部６ａ、６ｂの下ケース３とにより分散される。
【００１７】
以上のように実施の形態においては、電気掃除機の本体ケース１の前部に設けられたホース接続部４の両側に緩衝部５ａ、５ｂと緩衝部５ａ、５ｂから内側に折り曲げられた緩衝背面部６ａ、６ｂを備えている。これにより、電気掃除機の使用中に緩衝部５ａ、５ｂが壁や家具などに衝突したとしても、その衝撃は緩衝部５ａ、５ｂの下ケース３と緩衝背面部６ａ、６ｂの下ケース３とにより分散され、このため、衝撃に対する強度を確保することができ、衝撃による変形を防止できる。
【００１８】
なお、実施の形態では、ホース接続部４の両側から突出した緩衝部５ａ、５ｂおよび緩衝部５ａ、５ｂから内側に折り曲げられた緩衝背面部６ａ、６ｂをサイクロン式の電気掃除機に設けたことを述べたが、これに限定されるものではない。例えば、本体ケース内に集塵袋を備えた電気掃除機のホース接続部の両側に、前述した緩衝部５ａ、５ｂと緩衝背面部６ａ、６ｂのような構造を有するものを設けるようにしても良い。
【符号の説明】
【００１９】
１  本体ケース、２  上ケース、２ａ  溝部、３  下ケース、３ａ  凸部、４  ホース接続部、５ａ、５ｂ  緩衝部、６ａ、６ｂ  緩衝背面部、７  接続口、８  取っ手、
９  吸気管、１０  流入口、１１  流出口、１２  排気部、１３  排気孔、１４  プラグ収納部、１５  空気吸引部、２１  集塵器、２２  吸引口、２３  空気排出部、３１  操作レバー、４１  係合部。
【図１】
2011245218.tif 000003
【図２】
2011245218.tif 000004
【図３】
2011245218.tif 000005
【図４】
2011245218.tif 000006